(57)【要約】【課題】自転車の荷かごに収納された荷物の盗難や自転車の走行中における荷物の落下の防止および自転車の側面方向から荷物の水濡の防止ができ、収納される荷物の高さに応じてその高さの調節が容易にでき、開閉蓋を必要とせずに構造的に単純であり、自転車の荷かごの形状に対応した形状とする必要がなく汎用性に優れるとともに、荷かご内で液体をこぼした場合であっても、こぼれた液体が内部に溜まらない構造を有し、使用性に優れた自転車荷かご用収納袋を提供すること。【解決手段】自転車の荷かご５に取り付けられる自転車荷かご用収納袋１であって、防水性を有する筒状の布帛からなる収納袋本体２と、当該収納袋本体２の上部の開口部に当該開口部の開閉を可能にするためのファスナー３と、当該収納袋本体２の下部に収納袋１を自転車の荷かご５に固定するための荷かご取付部４とが設けられていることを特徴とする自転車荷かご用収納袋。【選択図】図１
0003157058.tif 000002
【実用新案登録請求の範囲】
【請求項１】
自転車の荷かごに取り付けられる自転車荷かご用収納袋であって、防水性を有する筒状の布帛からなる収納袋本体と、当該収納袋本体の上部の開口部に当該開口部の開閉を可能にするためのファスナーと、当該収納袋本体の下部に収納袋を自転車の荷かごに固定するための荷かご取付部とが設けられていることを特徴とする自転車荷かご用収納袋。
【請求項２】
荷かご取付部が収納袋本体の下端に襞を形成して収納袋本体の内面に取り付けられている請求項１に記載の自転車荷かご用収納袋。
【請求項３】
収納袋本体を構成する布帛がナイロン繊維またはポリエステル繊維からなる織布である請求項１または２に記載の自転車荷かご用収納袋。
【考案の詳細な説明】
【技術分野】
【０００１】
本考案は、自転車荷かご用収納袋に関する。さらに詳しくは、自転車の荷かごに収納された荷物の盗難防止、自転車の走行中における荷物の落下防止、降雨による荷物の水濡れの防止などに有用な自転車かご用収納袋に関する。
【背景技術】
【０００２】
自転車のハンドルの前部や後部の荷台に設置された荷かごに収納された荷物の盗難防止、雨天時における荷物の水濡れ防止などを目的として、自転車のハンドル前方に設置されている自転車用荷かごをハンドル位置から覆うようにした防水性を有するカバー本体と、ハンドルおよび荷かごに取り付ける止着手段とを備えた自転車用荷かごカバーが提案されている（例えば、特許文献１参照）。しかし、この自転車用荷かごカバーには、自転車の側面方向にはカバー本体が存在しないため、その側面方向から荷物が水濡れするおそれがあり、また自転車の荷かごには種々の形状があるので、荷かごカバーの形状をその荷かごの形状に対応させる必要があるため、汎用性に欠けるという欠点がある。
【０００３】
他の自転車かごカバーとして、カバー本体部の上端にカバー伸縮用筒状部を設け、自転車かごに入れられる物品の量などに応じて当該カバー伸縮用筒状部を伸縮させることができるようにし、その上部に開閉蓋を設けた自転車かごカバーが提案されている（例えば、特許文献２参照）。しかし、この自転車かごカバーは、カバー伸縮用筒状部のみでしかその容量を調整することができず、高さが高い物品を収納することができないという制約があり、また開閉蓋を必要とするため、構造的に複雑となり、さらにその形状を自転車の荷かごの形状に対応した形状とする必要があるため、汎用性に欠けるという欠点がある。
【先行技術文献】
【特許文献】
【０００４】
【特許文献１】登録実用新案第３０１０２１１号公報
【特許文献２】特開２００８−２１３７２２号公報
【考案の概要】
【考案が解決しようとする課題】
【０００５】
本考案は、前記従来技術に鑑みてなされたものであり、自転車の荷かごに収納された荷物の盗難や自転車の走行中における荷物の落下を防止することができるとともに自転車の側面方向から荷物が水濡れすることを防止することができ、収納される荷物の高さに応じてその高さを容易に調節することができ、また開閉蓋を必要とせずに構造的に単純であり、さらにその形状を自転車の荷かごの形状に対応した形状とする必要がなく汎用性に優れるとともに、万一、荷かご内で液体をこぼした場合であっても、こぼれた液体が内部に溜まらない構造を有するという使用性にも優れた自転車荷かご用収納袋を提供することを課題とする。
【課題を解決するための手段】
【０００６】
本考案者は、前記従来技術に鑑みて鋭意研究を重ね、試行錯誤を重ねた結果、前記課題をことごとく解決する斬新な自転車荷かご用収納袋を見出し、本考案を完成するに到った。
【０００７】
すなわち、本考案は、自転車の荷かごに取り付けられる自転車荷かご用収納袋であって、防水性を有する筒状の布帛からなる収納袋本体と、当該収納袋本体の上部の開口部に当該開口部の開閉を可能にするためのファスナーと、当該収納袋本体の下部に収納袋を自転車の荷かごに固定するための荷かご取付部とが設けられていることを特徴とする自転車荷かご用収納袋に関する。
【０００８】
本考案の自転車荷かご用収納袋は、前記構造を有するので、自転車の荷かごに収納された荷物の盗難や自転車の走行中における荷物の落下を防止することができるとともに自転車の側面方向から荷物が水濡れすることを防止することができ、収納される荷物の高さに応じてその高さを容易に調節することができ、また開閉蓋を必要とせずに構造的に単純であり、さらにその形状を自転車の荷かごの形状に対応した形状とする必要がなく汎用性に優れるとともに、万一、荷かご内で液体をこぼした場合であっても、こぼれた液体が内部に溜まらない構造を有するという使用性にも優れている。
【０００９】
本考案の自転車荷かご用収納袋において、荷かご取付部が収納袋本体の下端に襞を形成して収納袋本体の内面に取り付けられている場合には、収納袋の下端を自転車荷かごの内面と密着させることができるので、雨水が収納袋の下端から浸入することを防止することができる。
【００１０】
本考案の自転車荷かご用収納袋は、収納袋本体を構成する布帛がナイロン繊維またはポリエステル繊維からなる織布である場合、防水性、防汚性および耐久性に優れている。
【考案の効果】
【００１１】
本考案の自転車荷かご用収納袋は、自転車の荷かごに収納された荷物の盗難や自転車の走行中における荷物の落下を防止することができるとともに自転車の側面方向から荷物が水濡れすることを防止することができ、収納される荷物の高さに応じてその高さを容易に調節することができ、また開閉蓋を必要とせずに構造的に単純であり、さらにその形状を自転車の荷かごの形状に対応した形状とする必要がなく汎用性に優れるとともに、万一、荷かご内で液体をこぼした場合であっても、こぼれた液体が内部に溜まらない構造を有するという使用性にも優れるという効果を奏する。
【図面の簡単な説明】
【００１２】
【図１】自転車の荷かご内に収納されている本考案の自転車荷かご用収納袋の一実施態様を示す概略斜視図である。
【図２】本考案の自転車荷かご用収納袋の一実施態様を示す概略斜視図である。
【図３】本考案の自転車荷かご用収納袋を構成している収納袋本体の下部に収納袋を自転車の荷かごに固定するために設けられている荷かご取付部の断面形状を示す概略説明図である。
【考案を実施するための形態】
【００１３】
本考案の自転車荷かご用収納袋は、前記したように、自転車の荷かごに取り付けられる自転車荷かご用収納袋である。自転車の荷かごは、自転車の前輪の上部でハンドルの前部に取り付けられている前かごであってもよく、自転車の後輪の上部の荷台に取り付けられる後かごであってもよい。本考案の自転車荷かご用収納袋は、その形状を自在に変形させることができるので、自転車の前かごおよび後かごのいずれにも容易に取り付けることができる。
【００１４】
本考案の自転車荷かご用収納袋は、防水性を有する筒状の布帛からなる収納袋本体と、当該収納袋本体の上部の開口部に当該開口部の開閉を可能にするためのファスナーと、当該収納袋本体の下部に収納袋を自転車の荷かごに固定するための荷かご取付部とが設けられていることを特徴とする。
【００１５】
本考案の自転車荷かご用収納袋を以下に図面を参照しながら説明するが、本考案は、図面に記載された実施態様のみに限定されるものではない。
【００１６】
図１は、自転車の荷かご５内に収納されている本考案の自転車荷かご用収納袋１の一実施態様を示す概略斜視図である。図２は、自転車の荷かご内に収納する前の状態における本考案の自転車荷かご用収納袋１の一実施態様を示す概略斜視図である。
【００１７】
図１および図２において、収納袋本体２は、防水性を有する筒状の布帛で構成されている。収納袋本体２は、布帛で構成されているので、その形状を自由自在に変形させることができる。したがって、本考案の自転車荷かご用収納袋１は、種々の自転車の荷かごの形状に適合させることができるので、従来のように、自転車の荷かごに対応するように成形する必要がないことから、汎用性に優れている。また、収納袋本体２を構成している布帛は、防水性を有することから、荷かご内の荷物に雨水が直接接触することを防止することができる。
【００１８】
布帛としては、例えば、織布などが挙げられる。布帛を構成する繊維としては、例えば、ナイロン繊維、ポリエステル繊維、アクリル繊維などの合成繊維、レーヨンなどの再生繊維、アセテートなどの半合成繊維、綿、羊毛などの天然繊維などが挙げられるが、本考案は、かかる例示のみに限定されるものではない。これらの繊維のなかでは、防水性、防汚性および耐久性の観点から、合成繊維が好ましく、ナイロン繊維およびポリエステル繊維がより好ましく、ナイロン繊維がさらに好ましい。したがって、布帛は、合成繊維からなる織布が好ましく、ナイロン繊維またはポリエステル繊維からなる織布がより好ましく、ナイロン繊維からなる織布がさらに好ましい。
【００１９】
なお、布帛の表面または裏面、すなわち収納袋本体２の外面または内面には、防水性を高める観点から、防水加工が施されていてもよい。また、布帛の裏面、すなわち収納袋本体２の内面には、防水性を高めるために、例えば、ウレタン樹脂、フッ素樹脂、シリコーン樹脂などの樹脂やゴムでライニング加工が施されていてもよく、さらに塩化ビニル樹脂シート、ポリエステル系樹脂シート、ウレタン樹脂シート、フッ素樹脂シート、シリコーン樹脂シートなどの防水性を有する樹脂シートやゴムシートが積層されていてもよい。
【００２０】
収納袋本体２は、筒状の形状を有する。したがって、本考案の自転車荷かご用収納袋１を自転車の荷かごに取り付けたとき、自転車の前面方向のみならず側面方向や後部方向からの降雨に対しても、その内部に収納されている荷物が水濡れすることを防止することができる。
【００２１】
収納袋本体２は、筒状を有するが、その筒状の収納袋本体２を円筒形としたときの直径は、荷物の収納性を高める観点から、好ましくは３０ｃｍ以上、より好ましくは３５ｃｍ以上であり、大きいほど荷物の収納性が高められるが、あまりにも大きい場合には、かさばるようになる傾向があることから、好ましくは６０ｃｍ以下、より好ましくは５５ｃｍ以下、さらに好ましくは５０ｃｍ以下である。
【００２２】
また、収納袋本体２の高さは、自転車の荷かごの高さが通常３０ｃｍ程度であることから、好ましくは３０ｃｍ以上であり、荷物の収納性を高める観点から、より好ましくは４０ｃｍ、さらに好ましくは５０ｃｍ以上であり、その高さが高いほど収納性が高められるが、あまりにも高い場合には、かさばるようになる傾向があることから、好ましくは１００ｃｍ以下、より好ましくは９０ｃｍ以下、さらに好ましくは８０ｃｍ以下である。
【００２３】
収納袋本体２の形状は、収納袋本体２を構成している布帛が変形自在であるので、筒状であることのほかは特に限定されない。収納袋本体２は、変形自在であることから、例えば、図２に示されるように収納袋本体２の下端の形状が円形を帯びていても、図１に示されるように自転車の荷かご５の内部形状に容易に適合させることができる。
【００２４】
本考案の自転車荷かご用収納袋１に用いられている収納袋本体２は、収納される荷物の高さに応じてその高さを調節することができるとともに、その形状を容易に変形させることができるので、高さが高い荷物を容易に収用することができる。また、高さが高くない荷物を収納する場合には、収納袋本体２を変形させて自転車の荷かご内に収納することができるので、かさばらずに使用することができるという利点を有する。
【００２５】
収納袋本体２の上部には、本考案の自転車荷かご用収納袋１の上部の開口部の開閉を可能とするために、ファスナー３が設けられている。本考案の自転車荷かご用収納袋１には、このファスナー３によって自転車荷かご用収納袋１の上部の開口部を開閉することができることから、従来の収納袋の開閉蓋が不要となるので、構造的に単純にすることができるとともに、製造コストを削減することができ、さらに製造効率を高めることができるという利点がある。
【００２６】
また、本考案の自転車荷かご用収納袋１は、その上部の開口部に設けられているファスナー３で封止することにより、自転車の走行時における荷物の落下やひったくりの防止、自転車から離れたときの盗難の防止などを図ることができる。
【００２７】
ファスナー３は、スライダー（図示せず）を移動させて務歯（エレメント）同士の噛合を解除したときに分離するので、収納袋本体２の上部を開けることができ、スライダーを移動させて務歯同士を噛合させることにより、開口部を閉じることができる。
【００２８】
図１および図２には、ファスナー３の務歯同士の噛合により、収納袋本体２の上部の開口部が閉じている状態における本考案の自転車荷かご用収納袋１が示されている。ファスナー３の務歯同士の噛合により、収納袋本体２の上部の開口部を閉じた場合、収納袋本体２の上部から雨水が入り込むことを防止することができる。ファスナー３は、収納袋本体２の上部の開口部の全長にわたって設けられていることが荷物の収納性を高める観点から好ましいが、必ずしも収納袋本体２の上部の開口部の全長にわたって設けられていなくてもよい。
【００２９】
収納袋本体２の側面には、本考案の自転車荷かご用収納袋１を自転車の荷かごから容易に取り出すことができるようにするために、必要により手提げ（図示せず）が取り付けられていてもよい。また、その側面には、内部に収納されている荷物を外部から視認することができるようにするために、必要によりウィンドウ（窓）が形成されていてもよい。
【００３０】
本考案の自転車荷かご用収納袋１の収納袋本体２の下部には、ファスナー３が設けられておらず、開放状態となっている。したがって、万一、自転車の荷かごに収納した荷物から、例えば、ジュースなどの液状の内容物が漏れ出した場合であっても、本考案の自転車荷かご用収納袋１の内部で漏出した液状の内容物が溜まらず、その内容物を荷かごの下部から排出することができるので、漏出した液状の内容物によって収納された荷物が汚れるのを防止することができる。このように、本考案の自転車荷かご用収納袋１は、万一、荷かご内で液体をこぼした場合であっても、こぼれた液体が溜まらないような構造を有するので、使用性にも優れている。
【００３１】
収納袋本体２の下部には、本考案の自転車荷かご用収納袋１を自転車の荷かご５に固定するための荷かご取付部４が設けられている。この荷かご取付部４で本考案の自転車荷かご用収納袋１を自転車の荷かご５に固定することにより、自転車の転倒時の本考案の自転車荷かご用収納袋１の離脱や、本考案の自転車荷かご用収納袋１の盗難を防止することができる。
【００３２】
荷かご取付部４は、自転車の荷かご５に取り付けることができる形状および長さを有するものであれば、特に限定されない。荷かご取付部４の長さは、自転車の荷かごに取り付けやすくする観点から、１０〜５０ｃｍ程度であることが好ましく、１５〜４５ｃｍ程度であることがより好ましい。荷かご取付部４の形状は、帯状であってもよく、紐状であってもよい。荷かご取付部４は、本考案の自転車荷かご用収納袋１の見映えをよくする観点から、収納袋本体２と同一の素材からなる帯状であることが好ましい。帯状の荷かご取付部４の幅は、特に限定されないが、機械的強度および自転車の荷かご５への取り付けやすさの観点から、５〜１５ｍｍ程度であることが好ましい。
【００３３】
収納袋本体２に設けられる荷かご取付部４の数は、特に限定されないが、本考案の自転車荷かご用収納袋１を自転車の荷かご５に安定して取り付ける観点から、好ましくは３個以上、より好ましくは４個以上であり、自転車荷かご用収納袋１を自転車の荷かご５に着脱する際の作業性を向上させる観点から、好ましくは８個以下、より好ましくは６個以下である。なお、本考案の自転車荷かご用収納袋１の見映えをよくする観点から、荷かご取付部４は、それぞれ等間隔で間隔をあけて収納袋本体２の下部に設けられていることが好ましい。
【００３４】
自転車の荷かご５には、荷かご５内に雨水などの液体が溜まらないようにするために、通常、液体の透過孔（図示せず）が設けられている。本考案の自転車荷かご用収納袋１は、この透過孔に荷かご取付部４を通過させることによって固定することができる。なお、図１は、本考案の自転車荷かご用収納袋１が自転車の荷かご５内に収納され、荷かご取付部４が荷かご５の透過孔に通されているが、荷かご５に取り付けられる前の状態における本考案の自転車荷かご用収納袋１を示している。
【００３５】
本考案の自転車荷かご用収納袋１では、収納袋本体２の下部に収納袋１を自転車の荷かご５に固定するために設けられている荷かご取付部４が、収納袋本体２の下端に襞を形成して収納袋本体２の内面に取り付けられていることが好ましい。
【００３６】
より具体的には、例えば、図３に示されるように、収納袋本体２の端部を内側に折り曲げ、形成された輪になった部分に荷かご取付部４の端部を挟み、収納袋本体２の端部と荷かご取付部４の端部とを縫合などによって一体化することにより、襞６を形成されることができる。
【００３７】
襞６は、荷かご取付部４を自転車の荷かご５に取り付けるとき、荷かご取付部４が引っ張られるが、そのとき、襞６が荷かご５の内面と接触することによって収納袋本体２の外部方向（図３では、紙面に向かって左方向）に開くとともに荷かご５の内面と密着するようになる。したがって、本考案の自転車荷かご用収納袋１の下端で形成されている襞６が自転車の荷かご５の内面と密着することにより、両者の間隙から雨水などの液体が本考案の自転車荷かご用収納袋１の内部に浸入することを阻止することができる。
【００３８】
収納袋本体２の端部を内側に折り曲げた部分の長さである襞６の長さＰは、特に限定されないが、本考案の自転車荷かご用収納袋１の下端と自転車の荷かご５の内面とが密着しやすいようにする観点から、好ましくは５ｍｍ以上、より好ましくは１０ｍｍ以上、さらに好ましくは１５ｍｍ以上であり、襞６に汚れが付着しがたいようにする観点から、好ましくは３０ｍｍ以下、より好ましくは２５ｍｍ以下、さらに好ましくは２０ｍｍ以下である。
【００３９】
なお、本考案の自転車荷かご用収納袋１は、自転車の荷かごから取り外したときに折りたたんで容易に収納することができるほか、収納袋の開閉蓋を有しないので、汚れが付着したとき電気洗濯機などによって容易に水洗いをすることができる。したがって、本考案の自転車荷かご用収納袋１は、収納性、洗浄のしさすさなどの点でも優れている。
【００４０】
以上説明したように、本考案の自転車荷かご用収納袋１は、自転車の荷かごに収納された荷物の盗難や自転車の走行中における荷物の落下を防止することができるとともに自転車の側面方向から荷物が水濡れすることを防止することができ、収納される荷物の高さに応じてその高さを容易に調節することができ、また開閉蓋を必要とせずに構造的に単純であり、さらにその形状を自転車の荷かごの形状に対応した形状とする必要がなく汎用性に優れるとともに、万一、荷かご内で液体をこぼした場合であっても、こぼれた液体が内部に溜まらない構造を有するという使用性にも優れている。
【００４１】
したがって、本考案の自転車荷かご用収納袋１は、自転車の前かごおよび後かごのいずれにも好適に使用することができる。
【符号の説明】
【００４２】
１  自転車荷かご用収納袋
２  収納袋本体
３  ファスナー
４  荷かご取付部
５  自転車の荷かご
６  襞
【図１】
0003157058.tif 000003
【図２】
0003157058.tif 000004
【図３】
0003157058.tif 000005